(57)【要約】【課題】タブ紙を使用して画像形成を行う場合にも正確な記録紙サイズを検知・判断することが可能な画像形成装置を実現する。【解決手段】記録紙を収容する記録紙収容手段と、前記記録紙収容手段に収容された記録紙について、給紙方向の長さと該長さと直交する幅とを検知する記録紙サイズ検知手段と、前記記録紙サイズ検知手段での検知結果を受けて前記記録紙のサイズを判断した上で画像形成の制御を行う制御手段と、を備えた画像形成装置であって、前記制御手段は、前記記録紙サイズ検知手段での検知結果について、紙種に応じて除外して判断する場合と、除外せずに判断する場合とを設けて、該記録紙のサイズの判断を行うようにしている。なお、前記制御手段は、タブ紙のタブ部分によって検知結果が反転する可能性のあるセンサの検知結果を除外して該記録紙のサイズの判断を行う。【選択図】      図１
2004262564.tif 000002
【特許請求の範囲】
【請求項１】
記録紙を収容する記録紙収容手段と、
前記記録紙収容手段に収容された記録紙について、給紙方向の長さと該長さと直交する幅とを検知する記録紙サイズ検知手段と、
前記記録紙サイズ検知手段での検知結果を受けて前記記録紙のサイズを判断した上で画像形成の制御を行う制御手段と、を備えた画像形成装置であって、
前記制御手段は、前記記録紙サイズ検知手段での検知結果のうち、給紙方向の検知結果の少なくとも一部について、紙種に応じて除外して判断する場合と、除外せずに判断する場合とをがある、
ことを特徴とする画像形成装置。
【請求項２】
前記制御手段は、定形サイズの記録紙（定形紙）を使用するモードでは検知結果の除外を行わず、タブを有する記録紙（タブ紙）を使用するモード（タブ紙モード）では検知結果の少なくとも一部を除外して該記録紙のサイズの判断を行う、
ことを特徴とする請求項１記載の画像形成装置。
【請求項３】
記録紙を収容する記録紙収容手段と、
前記記録紙収容手段に収容された記録紙について、給紙方向の長さと該長さと直交する幅とを検知する記録紙サイズ検知手段と、
前記記録紙サイズ検知手段での検知結果を受けて前記記録紙のサイズを判断した上で画像形成の制御を行う制御手段と、を備えた画像形成装置であって、
前記制御手段は、前記記録紙サイズ検知手段での検知結果のうち、給紙方向の検知結果の少なくとも一部を除外して該記録紙のサイズの判断を行う、
ことを特徴とする画像形成装置。
【請求項４】
前記制御手段は、タブを有する記録紙（タブ紙）を使用するモード（タブ紙モード）時において、前記記録紙サイズ検知手段での検知結果のうち、給紙方向の検知結果の少なくとも一部を除外して該記録紙のサイズの判断を行う、
ことを特徴とする請求項３記載の画像形成装置。
【請求項５】
前記制御手段は、タブ紙のタブ部分によって検知結果が反転する可能性のあるセンサの検知結果を除外して該記録紙のサイズの判断を行う、
ことを特徴とする請求項２または請求項４のいずれかに記載の画像形成装置。
【請求項６】
前記記録紙サイズ検知手段は給紙方向に複数のセンサを備え、
前記制御手段は、タブ紙のタブ部分によって検知結果が反転する可能性のあるセンサの検知結果を除外して該記録紙のサイズの判断を行う、
ことを特徴とする請求項２または請求項４のいずれかに記載の画像形成装置。
【発明の詳細な説明】
【０００１】
【発明の属する技術分野】
本発明は複写機、プリンタなどの画像形成装置に関し、特に、タブを有する記録紙（タブ紙）を用いることが可能な画像形成装置における正確な記録紙検知の制御に関する。
【０００２】
【従来の技術】
複写機、プリンタなどの各種の画像形成装置において、タブを有する記録紙（タブ紙）を用いることがあった。
【０００３】
図９はタブ紙の様子を示す説明図である。この図９において、７枚の記録紙が並んでいる様子を示しており、手前から３枚目の記録紙（図９でＸ）と５枚目の記録紙（図９でＹ）と７枚目の記録紙（図９でＺ）とが「タブ紙」である。
【０００４】
また、この図９において、手前から３枚目の記録紙（図９でＸ）において突出した部分ｘがタブであり、手前から５枚目の記録紙（図９でＹ）において突出した部分ｙがタブであり、手前から７枚目の記録紙（図９でＺ）において突出した部分ｚがタブである。
【０００５】
なお、図１０において、Ｌは「タブ長さ」、Ｗは「タブ幅」である。また、図９において、ｘとｙとｚとでタブが設けられた位置が異なっているが、この位置が「タブ位置」である。
【０００６】
なお、一般的な画像形成装置では、複数のサイズの記録紙を、それぞれ複数の記録紙収容手段（給紙トレイ）にあらかじめ収容しておき、必要なサイズの記録紙を選択して画像形成出力するようにしている。
【０００７】
ここで、必要なサイズの記録紙を選択するには、記録紙収容手段に収容された記録紙について、給紙方向の長さと該長さと直交する幅とを、センサなどで検知するようにしている。
【０００８】
なお、このようなタブ紙を使用する画像形成装置における記録紙サイズの検知について、以下の特許文献１に記載がなされている。
【０００９】
【特許文献１】
特開平９−１１４１５０号公報（第１頁）
【００１０】
【発明が解決しようとする課題】
タブ紙を使用する画像形成装置においては、記録紙サイズを検知するためのセンサに対して、タブ部分がちょうど掛かることで、サイズの誤認識が生じることが知られている。
【００１１】
このため、上述した特許文献１記載の発明では、タブ部分に影響を受ける可能性のある給紙方向の長さを無視し、該給紙方向の長さと直交する記録紙の幅のみを検知し、これによりタブ紙のサイズを判断するようにしている。
【００１２】
しかし、このような判断ではタブ紙を使用した場合に、幅は同じで給紙方向の長さが異なる記録紙が存在する場合には、正確なサイズを判断できなくなる問題が生じていた。
【００１３】
本発明は以上の課題に鑑みてなされたものであって、タブ紙を使用して画像形成を行う場合にも正確な記録紙サイズを検知・判断することが可能な画像形成装置を実現することを目的とする。
【００１４】
【課題を解決するための手段】
すなわち、上記の課題を解決する本願発明は、以下のそれぞれに述べるようなものである。
【００１５】
（１）請求項１記載の発明は、記録紙を収容する記録紙収容手段と、前記記録紙収容手段に収容された記録紙について、給紙方向の長さと該長さと直交する幅とを検知する記録紙サイズ検知手段と、前記記録紙サイズ検知手段での検知結果を受けて前記記録紙のサイズを判断した上で画像形成の制御を行う制御手段と、を備えた画像形成装置であって、前記制御手段は、前記記録紙サイズ検知手段での検知結果のうち、給紙方向の検知結果の少なくとも一部について、紙種に応じて除外して判断する場合と、除外せずに判断する場合とをがある、ことを特徴とする画像形成装置である。
【００１６】
（１ａ）なお、上記（１）にて、前記制御手段は、定形サイズの記録紙（定形紙）を使用するモードでは検知結果の除外を行わず、タブを有する記録紙（タブ紙）を使用するモード（タブ紙モード）では検知結果の少なくとも一部を除外して該記録紙のサイズの判断を行う、ことを特徴とする請求項１記載の画像形成装置である。
【００１７】
（１ｂ）また、上記（１ａ）にて、前記制御手段は、タブ紙のタブ部分によって検知結果が反転する可能性のあるセンサの検知結果を除外して該記録紙のサイズの判断を行う、ことを特徴とする。
【００１８】
（１ｃ）また、上記（１ａ）にて、前記記録紙サイズ検知手段は給紙方向に複数のセンサを備え、前記制御手段は、タブ紙のタブ部分によって検知結果が反転する可能性のあるセンサの検知結果を除外して該記録紙のサイズの判断を行う、ことを特徴とする。
【００１９】
この発明で、制御手段は、記録紙サイズ検知手段での検知結果のうち、給紙方向の検知結果の少なくとも一部（タブ紙のタブ部分によって検知結果が反転する可能性のあるセンサの検知結果）について、紙種に応じて除外して判断する場合と、除外せずに判断する場合とを設けて、該記録紙のサイズの判断を行うようにしている。
【００２０】
ここで、定形サイズの記録紙（定形紙）を使用するモードでは検知結果の除外を行わず、タブを有する記録紙（タブ紙）を使用するモード（タブ紙モード）では検知結果の少なくとも一部を除外することで、タブ紙のタブ部分にかかる検知結果を除外でき、タブ紙を使用して画像形成を行う場合にも正確な記録紙サイズを検知・判断することが可能になる。
【００２１】
（２）請求項３記載の発明は、記録紙を収容する記録紙収容手段と、前記記録紙収容手段に収容された記録紙について、給紙方向の長さと該長さと直交する幅とを検知する記録紙サイズ検知手段と、前記記録紙サイズ検知手段での検知結果を受けて前記記録紙のサイズを判断した上で画像形成の制御を行う制御手段と、を備えた画像形成装置であって、前記制御手段は、前記記録紙サイズ検知手段での検知結果のうち、給紙方向の検知結果の少なくとも一部を除外して該記録紙のサイズの判断を行う、ことを特徴とする画像形成装置である。
【００２２】
（２ａ）なお、上記（２）にて、前記制御手段は、タブを有する記録紙（タブ紙）を使用するモード（タブ紙モード）時において、前記記録紙サイズ検知手段での検知結果のうち、給紙方向の検知結果の少なくとも一部を除外して該記録紙のサイズの判断を行う、ことを特徴とする。
【００２３】
（２ｂ）また、上記（２ａ）にて、前記制御手段は、タブ紙のタブ部分によって検知結果が反転する可能性のあるセンサの検知結果を除外して該記録紙のサイズの判断を行う、ことを特徴とする。
【００２４】
（２ｃ）また、上記（２ａ）にて、前記記録紙サイズ検知手段は給紙方向に複数のセンサを備え、前記制御手段は、タブ紙のタブ部分によって検知結果が反転する可能性のあるセンサの検知結果を除外して該記録紙のサイズの判断を行う、ことを特徴とする。
【００２５】
この発明で、制御手段は、記録紙サイズ検知手段での検知結果のうち、給紙方向の検知結果の少なくとも一部（タブ紙のタブ部分によって検知結果が反転する可能性のあるセンサの検知結果）を除外して該記録紙のサイズの判断を行うようにしている。
【００２６】
ここで、記録紙サイズ検知手段での検知結果のうち、給紙方向の検知結果の少なくとも一部を除外することで、タブ紙のタブ部分にかかる検知結果を除外でき、タブ紙を使用して画像形成を行う場合にも正確な記録紙サイズを検知・判断することが可能になる。
【００２７】
【発明の実施の形態】
以下、図面を参照して本発明の実施の形態例を詳細に説明する。
【００２８】
〈画像形成装置の電気的構成〉
図１は本発明の第１の実施の形態例の画像形成装置内の電気的な詳細構成を示すブロック図である。なお、この図１のブロック図では本発明の実施の形態例の説明に必要な部分のみを示しており、そのほかに、この図に示されない一般的な回路構成をも有しているものとする。
【００２９】
１００はタブ紙を含む記録紙に対して画像形成して出力する機能を有する本発明の実施の形態例の画像形成装置である。
【００３０】
なお、この画像形成装置１００は、装置全体の制御に加えてタブ紙のための制御を行う制御部１０１と、各種操作の入力と装置の状態表示とを行う操作表示部１１０と、原稿の画像を読みとって画像データを生成するスキャナ部１２０と、通常の画像処理に加えてタブ紙のため画像処理を実行する画像処理部１３０と、画像処理部１３０での画像処理された画像データを記録紙上に形成するプリントエンジン１４０と、を備えている。
【００３１】
また、操作表示部１１０内には、タブ紙を使用するか否かの設定（タブ設定）に関する情報や、画像形成に関する各種情報などがオペレータから入力される情報入力手段としての操作部１１１と、各種情報を表示する表示部１１２と、が備えられている。
【００３２】
また、プリントエンジン１４０内には、画像処理部１３０で処理された画像データに応じて書き込みを行う画像形成部１４１と、記録紙を収容する記録紙収容手段であるトレイ１４２ｔ〜１４４ｔと、前記記録紙収容手段に収容された記録紙について、給紙方向の長さと該長さと直交する幅とを検知する記録紙サイズ検知手段１４２ｓ〜１４４ｓと、とが備えられている。
【００３３】
なお、ここでは一例として、３段のトレイが設けられた様子を具体例にしているが、段数はこれに限定されるものではない。また、トレイは、画像形成装置内部に配置されているもののほか、画像形成装置から一部露出する形で、手差しトレイとして配置されているものも含まれる。
【００３４】
また、この画像形成装置１００は、複写機、ファクシミリ装置、プリンタなどの各種の装置が該当する。また、プリントエンジン１４０は、レーザビームを用いる電子写真方式のもののほか、ＬＥＤプリントヘッドを用いるものや、インクジェット方式のものであってもよい。
【００３５】
図２は上述したトレイ１４２ｔ〜１４４ｔと記録紙サイズ検知手段１４２ｓ〜１４４ｓの１段に相当するトレイ１４２０の主要部の外観構成を示す斜視図である。
【００３６】
ここで、トレイ１４２０は、記録紙の給紙方向の長さを大まかに検知するためのフォトセンサ１４２３とフォトセンサ１４２４とが設けられている。ここでは、フォトセンサ１４２３が給紙方向に近い記録紙サイズ検知手段であり、フォトセンサ１４２４が給紙方向に遠い記録紙サイズ検知手段である。
【００３７】
また、上述した記録紙の長さと直交する幅とを検知する記録紙サイズ検知手段として、記録紙の幅方向を揃えるガイド板１４２１ａと１４２１ｂとの位置を検知するガイド板センサ１４２２が設けられている。このガイド板センサ１４２２としては、既知のエンコーダなどが使用されている。
【００３８】
なお、この図２では、画像形成装置内部に配置されているトレイの具体例を示したが、手差しトレイについても同様なセンサ類が設けられていて記録紙のサイズを検知することが可能である。
【００３９】
〈本実施の形態例の動作説明（１）〉
以上のような画像形成装置において、図３のフローチャートを参照して本発明の第１の実施の形態例の動作説明を行う。なお、この図３のフローチャートは、制御部１０１で動作している画像形成制御プログラム中で、内蔵トレイを使用する場合にコールされるものである。
【００４０】
なお、以下の実施の形態例の動作説明では、制御部１０１と画像形成制御プログラムのサブルーチンによる制御や動作を、単に制御部１０１の制御という言い方で説明する。
【００４１】
ここで、図４の記録紙サイズ検知表のデータテーブルが、画像形成装置１００内の不揮発性メモリ（図示せず）にあらかじめ格納されているとする。なお、従来は図５に示す記録紙サイズ検知表のデータテーブルが格納されていた場合に、本発明の実施の形態例では、図４のデータテーブルが格納されているとする。
【００４２】
この図４のデータテーブルの場合、用紙送りだし方向のサイズ（給紙方向の記録紙長さ）として、ＰＳ１（フォトセンサ１４２４）の検知結果およびＰＳ２（フォトセンサ１４２３）の検知結果，用紙送り出し方向と直交する方向のサイズ（給紙方向の長さと該長さと直交する記録紙幅）の検知結果の範囲、判断される記録紙サイズ（検知サイズ）をフィールド（データ項目）とするデータベースである。
【００４３】
なお、ここでは、用紙送り出し方向と直交する方向のサイズ（給紙方向の長さと該長さと直交する記録紙幅）の検知結果の範囲として、あるエンコーダを用いた場合の出力の実測値（ボリューム値）を示しているため、記録紙サイズの絶対値ではない。
【００４４】
従来と本発明の実施の形態例のデータテーブルの違いは、内蔵トレイにおいて、タブ紙用のサイズ判断を正確に行うためのデータが格納されている点である。図４のデータテーブルの場合には、給紙方向の検知結果の少なくとも一部を除外して該記録紙のサイズの判断を行う（タブ紙のタブ部分によって検知結果が反転する可能性のあるセンサの検知結果を除外して該記録紙のサイズの判断を行う）ものとして、ｉ＝０のＴＡＢ＿Ａ４ＲのＰＳ１（フォトセンサ１４２４）の検知結果、ｉ＝６のＴＡＢ＿Ａ４のＰＳ２（フォトセンサ１４２３）の検知結果、ｉ＝８のＴＡＢ＿８．５Ｘ１１のＰＳ２（フォトセンサ１４２３）の検知結果、について、Ｈ／Ｌのいずれでも判断結果に影響を与えないようにしている。
【００４５】
まず、トレイセット時に制御部１０１がトレイ検知を開始する。そして、データテーブルを読み出すためのキーとしてｉ＝０をセットして（図３Ｓ１）、データテーブルの中からｉ番目のレコード（行）の値を取得する（図３Ｓ２）。
【００４６】
そして、フォトセンサ１４２３・フォトセンサ１４２４の検知結果（Ｈ／Ｌ）、ガイド板センサ１４２２の検知結果（ボリューム値）を、データテーブルから取得したｉ番目のレコード値と比較する（図３Ｓ３）。
【００４７】
検知結果がレコード値と一致していなければ（図３Ｓ３でＮＯ）、その時の取得サイズが未定義（ユニバーサル（「ＵＮＶＳＬ」と表記する））であるかを調べる（図３Ｓ４）。
【００４８】
その時の取得サイズが未定義（ユニバーサル（「ＵＮＶＳＬ」））であるかを調べ（図３Ｓ４）、未定義でなければ（図３Ｓ４でＮＯ）ｉをインクリメントして（図３Ｓ５）、ｉ番目のレコード（行）の値の取得に戻る（図３Ｓ２）。
【００４９】
ここで、レコードｉ番目に対する検知サイズ（図４の場合、ｉ＝０ならＴＡＢ＿Ａ４Ｒ、ｉ＝１ならＡ３）で、検知したＰＳとレコードｉのＰＳとが一致し、検知したボリューム値がレコードｉのボリューム値の最小と最大との間ならば、「取得サイズ」を「検知サイズ」とする。
【００５０】
そして、フォトセンサ１４２３・フォトセンサ１４２４の検知結果（Ｈ／Ｌ）、ガイド板センサ１４２２の検知結果（ボリューム値）を、データテーブルから取得したｉ番目のレコード値と比較（図３Ｓ３）して、検知結果がレコード値と一致していれば（図３Ｓ３でＹＥＳ）、その時の検知サイズがＴＡＢ＿Ａ４であるか（図３Ｓ６）、その時の検知サイズがＴＡＢ＿８．５Ｘ１１であるか（図３Ｓ７）、その時の検知サイズがＴＡＢ＿Ａ４Ｒであるか（図３Ｓ８）を調べる。
【００５１】
検知サイズがＴＡＢ＿Ａ４である（図３Ｓ６でＹＥＳ）か、検知サイズがＴＡＢ＿８．５Ｘ１１である（図３Ｓ７でＹＥＳ）か、検知サイズがＴＡＢ＿Ａ４Ｒである（図３Ｓ８でＹＥＳ）場合は、操作部１１１からの設定で現在の画像形成モードがタブを有する記録紙（タブ紙）を使用するモード（タブ紙モード）になっているかを調べる（図３Ｓ９）。
【００５２】
タブ紙モードに設定されていれば（図３Ｓ９でＹＥＳ）、制御部１０１は、そのときの検知サイズ（ＴＡＢ＿Ａ４、ＴＡＢ＿８．５Ｘ１１、ＴＡＢ＿Ａ４Ｒのいずれか）を記録紙サイズとして決定する（図３Ｓ１１）。
【００５３】
なお、センサの検知結果によって制御部１０１がタブ紙であると判断した場合（図３Ｓ１１）には、タブ紙がトレイに検知されたことを、表示部１１２に表示することが望ましい。
【００５４】
タブ紙モードに設定されていなければ（図３Ｓ９でＮＯ）、他のサイズの記録紙の可能性があるため、ｉをインクリメントして（図３Ｓ１０）、ｉ番目のレコード（行）の値の取得に戻る（図３Ｓ２）。
【００５５】
検知サイズがＴＡＢ＿Ａ４でなく（図３Ｓ６でＮＯ）、検知サイズがＴＡＢ＿８．５Ｘ１１でもなく（図３Ｓ７でＮＯ）、検知サイズがＴＡＢ＿Ａ４Ｒでもない（図３Ｓ８でＮＯ）場合は、そのときの検知サイズを記録紙サイズとして決定する（図３Ｓ１２）。
【００５６】
また、その時の取得サイズが未定義（ユニバーサル（ＵＮＶＳＬ））であれば（図３Ｓ４でＹＥＳ）、記録紙サイズをユニバーサル（ＵＮＶＳＬ）として決定する（図３Ｓ１３）。
【００５７】
以上の本発明の第１の実施の形態例では、制御部１０１は、記録紙サイズ検知手段での検知結果のうち、給紙方向の検知結果の少なくとも一部（タブ紙のタブ部分によって検知結果が反転する可能性のあるセンサの検知結果）を除外して該記録紙のサイズの判断を行うようにしている。ここで、記録紙サイズ検知手段での検知結果のうち、給紙方向の検知結果の少なくとも一部を除外することで、タブ紙のタブ部分にかかる検知結果を除外でき、タブ紙を使用して画像形成を行う場合にも正確な記録紙サイズを検知・判断することが可能になる。
【００５８】
また、タブ紙モードと設定されているときに記録紙サイズをタブ紙と決定するようにしているので、タブ紙でない記録紙をタブ紙と誤って判断することを避けられる。また、本来の未定義サイズの記録紙を未定義のサイズとして正確に認識することができる。
【００５９】
〈本実施の形態例の動作説明（２）〉
以上のような画像形成装置において、図６のフローチャートを参照して本発明の第１の実施の形態例の動作説明を行う。なお、この図６のフローチャートは、制御部１０１で動作している画像形成制御プログラム中で、手差しトレイを使用する場合にコールされるものである。
【００６０】
ここで、図７の記録紙サイズ検知表のデータテーブルが、画像形成装置１００内の不揮発性メモリ（図示せず）にあらかじめ格納されているとする。なお、従来は図８に示す記録紙サイズ検知表のデータテーブルが格納されていた場合に、本発明の実施の形態例では、図７のデータテーブルが格納されているとする。
【００６１】
この図７のデータテーブルは、図４と同様に、用紙送りだし方向のサイズ（給紙方向の記録紙長さ）として、ＰＳ１（フォトセンサ１４２４）の検知結果およびＰＳ２（フォトセンサ１４２３）の検知結果，用紙送り出し方向と直交する方向のサイズ（給紙方向の長さと該長さと直交する記録紙幅）の検知結果の範囲、判断される記録紙サイズ（検知サイズ）をフィールド（データ項目）とするデータベースである。
【００６２】
なお、ここでは、用紙送り出し方向と直交する方向のサイズ（給紙方向の長さと該長さと直交する記録紙幅）の検知結果の範囲として、あるエンコーダを用いた場合の出力の実測値（ボリューム値）を示しているため、記録紙サイズの絶対値ではない。
【００６３】
また、ここで、「ＲＥＬ＿Ａ」、「ＲＥＬ＿Ｂ」、「ＲＥＬ＿Ａ１」、「ＲＥＬ＿Ｂ１」とあるのは、実測値（ボリューム値）に対して、演算を行う演算式を示している。たとえば、手差しトレイの場合には、ＲＥＬ＿Ａ＝（Ｘ＋１０）−Ｙ、ＲＥＬ＿Ｂ＝（Ｘ−１０）−Ｙ、ＲＥＬ＿Ａ１＝ＲＥＬ＿Ａ＋１、ＲＥＬ＿Ｂ１＝ＲＥＬ＿Ｂ＋１、のような演算が該当する。但し、ここで、Ｘは手差し調整値２、Ｙは手差し調整値１である。
【００６４】
従来と本発明の実施の形態例のデータテーブルの違いは、手差しトレイ使用時において、タブ紙用のサイズ判断を正確に行うためのデータが格納されている点である。図７のデータテーブルの場合には、給紙方向の検知結果の少なくとも一部を除外して該記録紙のサイズの判断を行う（タブ紙のタブ部分によって検知結果が反転する可能性のあるセンサの検知結果を除外して該記録紙のサイズの判断を行う）ものとして、ｉ＝０のＴＡＢ＿Ａ４ＲのＰＳ１（フォトセンサ１４２４）の検知結果について、Ｈ／Ｌのいずれでも判断結果に影響を与えないようにしている。
【００６５】
まず、トレイセット時に制御部１０１がトレイ検知を開始する。そして、データテーブルを読み出すためのキーとしてｉ＝０をセットして（図６Ｓ１）、データテーブルの中からｉ番目のレコード（行）の値を取得する（図６Ｓ２）。
【００６６】
そして、フォトセンサ１４２３・フォトセンサ１４２４の検知結果（Ｈ／Ｌ）、ガイド板センサ１４２２の検知結果（ボリューム値）を、データテーブルから取得したｉ番目のレコード値と比較する（図６Ｓ３）。
【００６７】
検知結果がレコード値と一致していなければ（図６Ｓ３でＮＯ）、その時の取得サイズが未定義（ユニバーサル（「ＵＮＶＳＬ」と表記する））であるかを調べる（図６Ｓ４）。
【００６８】
その時の取得サイズが未定義（ユニバーサル（「ＵＮＶＳＬ」））であるかを調べ（図６Ｓ４）、未定義でなければ（図６Ｓ４でＮＯ）ｉをインクリメントして（図６Ｓ５）、ｉ番目のレコード（行）の値の取得に戻る（図６Ｓ２）。
【００６９】
ここで、レコードｉ番目に対する検知サイズ（図７の場合、ｉ＝０ならＴＡＢ＿Ａ４Ｒ、ｉ＝１ならＡ３）で、検知したＰＳとレコードｉのＰＳとが一致し、検知したボリューム値がレコードｉのボリューム値の最小と最大との間ならば、「取得サイズ」を「検知サイズ」とする。
【００７０】
そして、フォトセンサ１４２３・フォトセンサ１４２４の検知結果（Ｈ／Ｌ）、ガイド板センサ１４２２の検知結果（ボリューム値）を、データテーブルから取得したｉ番目のレコード値と比較（図６Ｓ３）して、検知結果がレコード値と一致していれば（図６Ｓ３でＹＥＳ）、その時の検知サイズがＴＡＢ＿Ａ４Ｒであるか（図６Ｓ６）を調べる。
【００７１】
検知サイズがＴＡＢ＿Ａ４Ｒである（図６Ｓ６でＹＥＳ）場合は、操作部１１１からの設定で現在の画像形成モードがタブを有する記録紙（タブ紙）を使用するモード（タブ紙モード）になっているかを調べる（図６Ｓ７）。
【００７２】
ここで、タブ紙モードに設定されていれば（図６Ｓ７でＹＥＳ）、制御部１０１は、そのときの検知サイズ（ＴＡＢ＿Ａ４Ｒ）を記録紙サイズとして決定する（図６Ｓ９）。
【００７３】
なお、センサの検知結果によって制御部１０１がタブ紙であると判断した場合（図６Ｓ９）には、タブ紙がトレイに検知されたことを、表示部１１２に表示することが望ましい。
【００７４】
タブ紙モードに設定されていなければ（図６Ｓ７でＮＯ）、他のサイズの記録紙の可能性があるため、ｉをインクリメントして（図６Ｓ８）、ｉ番目のレコード（行）の値の取得に戻る（図６Ｓ２）。
【００７５】
検知サイズがＴＡＢ＿Ａ４Ｒでない（図６Ｓ６でＮＯ）場合は、そのときの検知サイズを記録紙サイズとして決定する（図６Ｓ１０）。
【００７６】
また、その時の取得サイズが未定義（ユニバーサル（ＵＮＶＳＬ））であれば（図６Ｓ４でＹＥＳ）、記録紙サイズをユニバーサル（ＵＮＶＳＬ）として決定する（図６Ｓ１１）。
【００７７】
以上の本発明の第２の実施の形態例では、制御部１０１は、記録紙サイズ検知手段での検知結果のうち、給紙方向の検知結果の少なくとも一部（タブ紙のタブ部分によって検知結果が反転する可能性のあるセンサの検知結果）を除外して該記録紙のサイズの判断を行うようにしている。ここで、記録紙サイズ検知手段での検知結果のうち、給紙方向の検知結果の少なくとも一部を除外することで、タブ紙のタブ部分にかかる検知結果を除外でき、タブ紙を使用して画像形成を行う場合にも正確な記録紙サイズを検知・判断することが可能になる。
【００７８】
また、タブ紙モードと設定されているときに記録紙サイズをタブ紙と決定するようにしているので、タブ紙でない記録紙をタブ紙と誤って判断することを避けられる。また、本来の未定義サイズの記録紙を未定義のサイズとして正確に認識することができる。
【００７９】
〈その他の実施の形態例〉
なお、以上の実施の形態例におけるタブ紙のサイズの具体例は一例であり、これに限定されるものではない。すなわち、異なるサイズのタブ紙を用いる場合や、更に多くの種類のタブ紙を用いるようにしてもよい。
【００８０】
また、タブ紙を判断するためのセンサの論理なども、ここに示した具体例に限定されるものではない。
【００８１】
また、フォトセンサ１４２３とフォトセンサ１４２４の２つのセンサの具体例を示したが、１つであっても、３つ以上であっても本発明の実施の形態例を適用することが可能である。
【００８２】
【発明の効果】
以上、詳細に説明したように、本発明では、記録紙サイズ検知手段での検知結果のうち、給紙方向の検知結果の少なくとも一部（タブ紙のタブ部分によって検知結果が反転する可能性のあるセンサの検知結果）を、紙種に応じて除外して判断する場合と、除外せずに判断する場合とを設けて、該記録紙のサイズの判断を行うようにしている。
【００８３】
ここで、記録紙サイズ検知手段での検知結果のうち、給紙方向の検知結果の少なくとも一部を除外することで、タブ紙のタブ部分にかかる検知結果を除外でき、タブ紙を使用して画像形成を行う場合にも正確な記録紙サイズを検知・判断することが可能になる。
【図面の簡単な説明】
【図１】本発明の実施の形態例の画像形成装置の電気的な構成を示す機能ブロック図である。
【図２】本発明の実施の形態例の画像形成装置の主要部の機械的な構成を示す構成図である。
【図３】本発明の第１の実施の形態例の画像形成装置の動作手順を示すフローチャートである。
【図４】本発明の実施の形態例における検知と判断とに使用するデータテーブルの様子を様子を示す説明図である。
【図５】従来おける検知と判断とに使用するデータテーブルの様子を様子を示す説明図である。
【図６】本発明の第２の実施の形態例の画像形成装置の動作手順を示すフローチャートである。
【図７】本発明の実施の形態例における検知と判断とに使用するデータテーブルの様子を様子を示す説明図である。
【図８】従来おける検知と判断とに使用するデータテーブルの様子を様子を示す説明図である。
【図９】画像形成装置で使用されるタブ紙の様子を様子を示す説明図である。
【図１０】画像形成装置で使用されるタブ紙の様子を様子を示す説明図である。
【符号の説明】
１００  画像形成装置
１０１  制御部
１１０  操作表示部
１１１  操作部
１１２  表示部
１２０  スキャナ部
１３０  画像処理部
１４０  プリントエンジン
【図１】
2004262564.tif 000003
【図２】
2004262564.tif 000004
【図３】
2004262564.tif 000005
【図４】
2004262564.tif 000006
【図５】
2004262564.tif 000007
【図６】
2004262564.tif 000008
【図７】
2004262564.tif 000009
【図８】
2004262564.tif 000010
【図９】
2004262564.tif 000011
【図１０】
2004262564.tif 000012